(57)【要約】      （修正有）【課題】立体的な形状を有する器具類、例えば環状枠に対して略垂直方向に継手を有する環状器具類（曝気管等）を破損することなく保管でき、かつ、出し入れが容易となるように収納できる。【解決手段】少なくとも3つ以上の支柱を有し、各支柱から仮想中心に向かって水平方向に継手を伸ばし、それぞれの継手を仮想中心点で結合することで形成された複数の棚を有する収納棚を作成することにより、器具類を破損させることなく容易に、かつ、効率よく収納、保管が可能となる。【選択図】図２
0003113383.tif 000002
【実用新案登録請求の範囲】
【請求項１】
少なくとも3つ以上の支柱を有し、各支柱から仮想中心に向かって水平方向に継手を伸ばし、それぞれの継手を仮想中心点で結合することにより形成された複数の棚を有することを特徴とする収納棚。
【請求項２】
立体的な形状を有する器具類、例えば環状枠に対して略垂直方向に継手を有する環状器具類（曝気管等）を収納することを特徴とする請求項１に記載の収納棚。
【考案の詳細な説明】
【技術分野】
【０００１】
本考案は器具類の収納棚に関するものである。
【背景技術】
【０００２】
実験、試作、製造時等に使用する器具類には様々な形状があり、市場で主に流通している形状である場合は、それらを収納できる専用の収納棚、収納用具などが市販されているため容易に器具の整理ができる。
【０００３】
しかし、実験、試作、製造時等に使用する器具類は、作業特性上、初めから嵩張り高い設計のものであったり、或いは作業の効率化を図るなどの目的で経験的に形状を変更したりすることがしばしばある。
【０００４】
そのため上記に示す特殊な形状を有する器具類を収納することに関しては、無駄なスペースができることによる収納効率の低下、整理のしづらさが生じ、結果的に作業スペースが雑然となってしまうという問題点があった。
【０００５】
これら問題点を解決する手段として、工具(器具)類を入れる容器の出し入れを容易にした容器棚に関する技術（特許文献１）や複数の工具（器具）類が保管でき、取り出しの労力を大幅に軽減した収納ラックに関する技術で（特許文献２）などが挙げられる。
【０００６】
特許文献１の技術によれば容器棚の外枠をパイプによる枠体とすることで、安価で、かつ、工具(器具)類を収納した容器を容易に出し入れすることができる。
【０００７】
しかし、容器に入れた工具（器具）類を取り出す際には、工具(器具)類同士が絡み合うなどして作業効率が低下する、工具（器具）類を破損させてしまう恐れがあるなどの欠点を有する。
【０００８】
また、特許文献２の技術によれば複数の引き出し自在の枠体に吊りフックを設けたパンチングボードに備えることで、複数の工具（器具）類が収納でき、かつ出し入れが容易で作業効率を高めることができる。
【０００９】
しかし、この技術では収納する工具（器具）類の形状に合わせてパンチングボードに設置する吊りフック間の間隔を広く取る必要が生じるため、一つの収納棚に対する収納効率が悪くなり、結果的には収納ラックが大きくなる欠点がある。
【００１０】
このように従来の技術範囲では、立体的な形状を有する器具類、例えば環状枠に対して略垂直方向に継手を有する環状器具（曝気管等）を収納できる簡便な収納棚は存在していない。
【特許文献１】特開２００１−８８０６２号
【特許文献２】特開２００４−１４２０７５号
【考案の開示】
【考案が解決しようとする課題】
【００１１】
解決しようとする問題点は、器具の形状によって無駄なスペースができることにより収納効率が低下する点ならびに、器具類同士が絡み合うことで、それ自体が破損してしまう点、及びそれに伴う作業効率の低下、安全性の低下という点にある。
【課題を解決するための手段】
【００１２】
本考案は、少なくとも3つ以上の支柱を有し、各支柱から仮想中心に向かって水平方向に継手を伸ばし、それぞれの継手を仮想中心点で結合することにより形成された複数の棚を有する収納棚を作成することで、収納効率の低下や器具の破損等、収納時における不具合を解消することを主要な特徴とする。
【考案の効果】
【００１３】
本考案の収納棚は複数の同形状或いは類似形状の器具類を破損することなく効率よく収納でき、また、作業スペースが有効活用できるため、作用環境を損なわない利点がある。更に取り出しが容易になることから作業性ならびに安全性向上にも繋がる利点もある。
【考案を実施するための最良の形態】
【００１４】
優れた収納性と保管性を有しながら器具類を収納するという目的を、極めてシンプルな構造の専用収納棚を作成することで、作業環境を損なわずに実現した。
【００１５】
本考案の収納棚の支柱、継手の材質としては鉄、アルミニウム、ステンレス等の金属類やＡＢＳ樹脂、ポリプロピレン、ポリカーボネート、ポリアミド等の硬質合成樹脂類、木材等を挙げることができるが、作業環境や耐久性を考慮した場合は金属類、とくにステンレスが好ましい。
【００１６】
本考案の収納棚の支柱の数、ならびに棚の数やその間隔は収納する器具の形状、数量により任意に変更することができ、更に、支柱には稼動を容易にする目的でキャスター等を取り付けることもできる。
【実施例１】
【００１７】
図１は本考案収納棚の１つの支柱（１ｂ）から継手（１ａ）が伸びている状態を示している。
【００１８】
図２は本考案収納棚の全体図であり、具体的には３本の支柱から、それぞれ５本の継手を仮想中心に向かって伸ばし、その仮想中心点でそれぞれの継手先端を結合させて作成した棚を有する収納棚を示している。
【００１９】
図３は立体的な形状を有する器具類、例えば環状枠に対して略垂直方向に継手を有する環状器具（曝気管等）（図４）を本考案収納棚（図２）に収納したときの様子を示している。
【００２０】
本考案の収納棚はどの方向からも器具を収納することが可能であり、複数個収納した場合でも収納棚のバランスが失われることがなく、更に器具を破損させることなく容易に、かつ、効率よく収納、保管でき、併せて作業スペースの有効活用が可能となる。
【産業上の利用可能性】
【００２１】
曝気管に代表される収納が困難な嵩張り高い形状を有する器具類を収納する手段として応用展開が可能である。
【図面の簡単な説明】
【００２２】
【図１】支柱（１ｂ）から継手（１ａ）が伸びている状態を示す図である。
【図２】本考案収納棚の一例を示す図である。
【図３】環状器具（曝気管等）（図４）を本考案収納棚（図２）に収納した様子を示す図である。
【図４】環状枠に対して略垂直方向に継手を有する環状器具（曝気管等）を示す図である。
【図１】
0003113383.tif 000003
【図２】
0003113383.tif 000004
【図３】
0003113383.tif 000005
【図４】
0003113383.tif 000006
【手続補正書】
【提出日】平成17年6月9日(2005.6.9)
【手続補正１】
【補正対象書類名】実用新案登録請求の範囲
【補正対象項目名】全文
【補正方法】変更
【補正の内容】
【実用新案登録請求の範囲】
【請求項１】
少なくとも３つ以上の支柱を有し、各支柱から仮想中心に向かって水平方向に継手を伸ばし、それぞれの継手を仮想中心点で結合することにより形成された複数の棚を有することを特徴とする収納棚
【請求項２】
立体的な形状を有する器具類、例えば環状枠に対して略垂直方向に継手を有する環状器具類を収納することを特徴とする請求項１に記載の収納棚